(57)【要約】【課題】ＩＰ電話機が保留されたときの保留音をＩＰ網以外のネットワーク配下の電話機に対しても送信可能にする。【解決手段】ゲートウェイ装置１の内線に収容されたＩＰ電話機８，９の利用者は、ＩＰ網２に接続されているＩＰ電話機５、アナログ電話網３に接続されているアナログ電話機６、ＩＳＤＮ４に接続されているＩＳＤＮ対応電話機７の利用者と通話を行うことができる。ＩＰ電話機８，９の利用者が保留操作を行うと、ゲートウェイ装置１は、接続先がＩＰ電話機５の場合は保留コマンドを送出し、アナログ電話機６又はＩＳＤＮ対応電話機７の場合は保留音を送出する。【選択図】  図１
2008092182.tif 000002
【特許請求の範囲】
【請求項１】
ＩＰ電話機をＩＰ網及びその他の通信網に切替え接続可能なネットワーク接続装置であって、前記ＩＰ電話機の保留操作を検出する手段と、前記保留操作が行われたときの接続先の網を検出する手段、前記接続先がＩＰ網であるときは保留コマンドを送出し、その他の通信網であるときは保留音を送出する手段とを備えたことを特徴とするネットワーク接続装置。
【請求項２】
ＩＰ電話機をＩＰ網及びその他の通信網に切替え接続可能なネットワーク接続装置であって、前記ＩＰ電話機の保留操作を検出する手段と、前記保留操作に応じて、接続先の網へ保留コマンドを送出する手段と、前記接続先の網からの拒否応答の受信に基づいて、前記接続先の網へ保留音を送出する手段とを備えたことを特徴とするネットワーク接続装置。
【発明の詳細な説明】
【技術分野】
【０００１】
本発明は、ＩＰ（Internet Protocol）電話機をＩＰ網、アナログ電話網、及びＩＳＤＮ（Integrated Services Digital Network）などの電話通信可能な複数種類のネットワークに接続可能なネットワーク接続装置に関し、詳細には、ＩＰ電話機が保留されたときの保留音をＩＰ網以外のネットワーク配下の電話機に対しても送信可能にしたネットワーク接続装置に関する。
【背景技術】
【０００２】
ＩＰ電話機においては、送信側で、入力されたアナログ音声をＡ／Ｄ変換し、圧縮した後、パケット化して、相手に送信し、受信側で、受信した音声データパケットから音声データを取り出し、伸張し、Ｄ／Ａ変換し、アナログ音声を再生する。
【０００３】
また、ＩＰ電話機の保留音送出の方法として、予めＩＰ電話機に保留音源を設けておき、保留した相手側の電話機からの保留コマンドを受信し、そのコマンドに従って、電話機内部の保留音源から直接ハンドセット等のスピーカを通して通話者に聞かせる方法がある（特許文献１参照）。
【０００４】
しかしながら、この方法では、ＩＰ網以外のネットワーク配下の電話機へ保留音を送出することができないという問題がある。
【０００５】
【特許文献１】特開２０００−５９４７１号公報（図９）
【発明の開示】
【発明が解決しようとする課題】
【０００６】
本発明はこのような問題点を解決するためになされたものであり、その目的は、ＩＰ電話機が保留されたときの保留音をＩＰ網以外のネットワーク配下の電話機に対しても送信可能にすることである。
【課題を解決するための手段】
【０００７】
請求項１の発明は、ＩＰ電話機をＩＰ網及びその他の通信網に切替え接続可能なネットワーク接続装置であって、前記ＩＰ電話機の保留操作を検出する手段と、前記保留操作が行われたときの接続先の網を検出する手段、前記接続先がＩＰ網であるときは保留コマンドを送出し、その他の通信網であるときは保留音を送出する手段とを備えたことを特徴とするネットワーク接続装置である。
請求項２の発明は、ＩＰ電話機をＩＰ網及びその他の通信網に切替え接続可能なネットワーク接続装置であって、前記ＩＰ電話機の保留操作を検出する手段と、前記保留操作に応じて、接続先の網へ保留コマンドを送出する手段と、前記接続先の網からの拒否応答の受信に基づいて、前記接続先の網へ保留音を送出する手段とを備えたことを特徴とするネットワーク接続装置である。
【０００８】
（作用）
請求項１の発明によれば、ＩＰ電話機にて保留操作が行われたとき、接続中の網がＩＰ網の場合は保留コマンドを送出し、その他の通信網の場合は保留音を送出する。
請求項２の発明によれば、ＩＰ電話機にて保留操作が行われたとき、接続中の網に保留コマンドを送出し、拒否応答を受信した場合は保留音を送出する。
【発明の効果】
【０００９】
本発明によれば、ＩＰ電話機が保留されたときの保留音をＩＰ網以外のネットワーク配下の電話機に対しても送信可能となる。また、ＩＰ網に保留音を送出しないため、ＩＰ網のトラフィックの増大を抑制できる。
【発明を実施するための最良の形態】
【００１０】
図１は、本発明の実施形態のネットワーク接続装置であるゲートウェイ装置によりＩＰ電話機をＩＰ網、アナログ電話網、及びＩＳＤＮに接続可能にしたシステムの構成を示す図である。
【００１１】
図１に示すように、ゲートウェイ装置１の外線はＩＰ網２、アナログ電話網３、及びＩＳＤＮ４に接続されており、内線には複数のＩＰ電話機（ここでは２台）８，９が接続されている。ＩＰ電話機８，９の利用者は、ＩＰ網２に接続されたＩＰ電話機５、アナログ電話網３に接続されたアナログ電話機６、ＩＳＤＮ４に接続されたＩＳＤＮ対応電話機７の各々の利用者とゲートウェイ装置１を介して通話を行うことができる。
【００１２】
図２はゲートウェイ装置１の内部構成を示すブロック図である。ゲートウェイ装置１は、マイクロコンピュータで構成され、この装置全体の制御等を行う制御部１１と、ＩＰ電話機８，９を収容する内線接続部１２と、外線であるＩＰ網２、アナログ電話網３、及びＩＳＤＮ４を終端制御する外線終端部１３と、内線接続部１２の入出力データと外線終端部１２の入出力データとの間で必要なデータ変換処理などを実行するデータ処理部１４と、利用者がゲートウェイ装置１の各種設定などを行うための操作部１５と、ゲートウェイ装置１が動作するときに使用する各種設定情報、内線接続情報、外線接続情報などを記憶するための記憶部１６と、保留音を発生する保留音源１７とを備えている。
【００１３】
以上の構成を有するシステムにおいて、ゲートウェイ装置１の内線に収容されているＩＰ電話機８の利用者がＩＰ網２に接続されているＩＰ電話機５の利用者と通話を行う場合、ＩＰ電話機８のダイヤルキーを操作して、ＩＰ電話機５の電話番号を入力する。この電話番号は、ゲートウェイ１の内線接続部１２から制御部１１に通知される。制御部１１は、記憶部１６に記憶されているテーブルを参照することにより、内線接続部１２から通知された電話番号がＩＰ網２に接続されているＩＰ電話機のものであることを識別する。制御部１１は、この識別に基づいて、外線終端部１３からＩＰ網２に対し、ＩＰ電話機５の電話番号を送出する。ＩＰ電話機５に着信し、その利用者が応答操作を行うことにより、ＩＰ電話機８の利用とＩＰ電話機５の利用者とがゲートウェイ装置１及びＩＰ網２を介して通話を行うことができる。
【００１４】
このとき、制御部１１は、ＩＰ電話機同士の通話であるため、データ処理部１４に対しては、後述のアナログ電話機６やＩＳＤＮ対応電話機７と通話する場合のような音声データ変換処理を行うことなく、内線接続部１２の入出力データと外線終端部１２の入出力データをそのまま通過させるように動作させる。
【００１５】
また、ＩＰ電話機８の利用者がアナログ網３に接続されているアナログ電話機６の利用者と通話を行う場合、ＩＰ電話機８のダイヤルキーを操作して、アナログ電話機６の電話番号を入力する。この電話番号は、ゲートウェイ１の内線接続部１２から制御部１１に通知される。制御部１１は、記憶部１６に記憶されているテーブルを参照することにより、内線接続部１２から通知された電話番号がアナログ網３に接続されているアナログ電話機のものであることを識別する。制御部１１は、この識別に基づいて、外線終端部１３からアナログ網３に対し、アナログ電話機６の電話番号を送出する。アナログ電話機６に着信し、その利用者が応答操作を行うことにより、ＩＰ電話機８の利用とアナログ電話機６の利用者とがゲートウェイ装置１及びアナログ網３を介して通話を行うことができる。
【００１６】
このとき、制御部１１は、ＩＰ電話機とアナログ電話機との通話であるため、ＩＰ電話機８から出力され、内線接続部１２からデータ処理部１４に入力される音声データパケットをアナログ音声信号に変換して外線終端部１３からアナログ電話網３へ送出し、アナログ電話網３から外線終端部１３を介してデータ処理部１４に入力されるアナログ音声信号を音声データパケットに変換して内線接続部１２からＩＰ電話機８へ送出するように、データ処理部１４を動作させる。
【００１７】
また、ＩＰ電話機８の利用者がＩＳＤＮ４に接続されているＩＳＤＮ対応電話機７の利用者と通話を行う場合、ＩＰ電話機８のダイヤルキーを操作して、ＩＳＤＮ対応電話機７の電話番号を入力する。この電話番号は、ゲートウェイ１の内線接続部１２から制御部１１に通知される。制御部１１は、記憶部１６に記憶されているテーブルを参照することにより、内線接続部１２から通知された電話番号がＩＳＤＮ４に接続されているＩＳＤＮ対応電話機のものであることを識別する。制御部１１は、この識別に基づいて、外線終端部１３からＩＳＤＮ４に対し、ＩＳＤＮ対応電話機７の電話番号を送出する。ＩＳＤＮ対応電話機７に着信し、その利用者が応答操作を行うことにより、ＩＰ電話機８の利用とＩＳＤＮ対応電話機７の利用者とがゲートウェイ装置１及びＩＳＤＮ４を介して通話を行うことができる。
【００１８】
このとき、制御部１１は、ＩＰ電話機とＩＳＤＮ対応電話機との通話であるため、ＩＰ電話機８から出力され、内線接続部１２からデータ処理部１４に入力される音声データパケットをアナログ音声信号に変換して外線終端部１３からＩＳＤＮ４へ送出し、ＩＳＤＮ４から外線終端部１３を介してデータ処理部１４に入力されるアナログ音声信号を音声データパケットに変換して内線接続部１２からＩＰ電話機８へ送出するように、データ処理部１４を動作させる。
【００１９】
次にＩＰ電話機８にて通話を保留した場合のゲートウェイ１の保留音送出制御について説明する。本実施形態のゲートウェイ装置１では、操作部１５からの設定により、第１の保留音送出制御又は第２の保留音送出制御のいずれかを選択することができる。
【００２０】
図３は第１の保留音送出制御のフローチャートである。このフローは制御部１１が内線接続部１２を介してＩＰ電話機８の保留操作を検出したときにスタートする。制御部１１は、ＩＰ電話機８の保留操作を検出すると、ＩＰ電話機８の接続先情報を記憶部１６から読み出す（ステップＳ１）。この接続先情報は、ＩＰ電話機８がＩＰ網２、アナログ電話網３、ＩＳＤＮ４のどの網に接続されている電話機と通話中であるかを示す情報であり、ＩＰ電話機８の発信時或いは着信時に記憶部１６に記憶されている。
【００２１】
次いで接続先がＩＰ網２であるか否かを判定し（ステップＳ２）、ＩＰ網２であった場合は、保留コマンドを生成し、ＩＰ網２を介して接続先のＩＰ電話機へ送信する（ステップＳ３）。接続先のＩＰ電話機は、保留コマンドの受信に基づいて、電話機内部の保留音源から保留音を出力させる。接続先がＩＰ網２でなかった場合、即ちアナログ電話網３又はＩＳＤＮ４であった場合は、保留音源１７から保留音を発生させ、接続先の網を介して接続先の電話機へ送信する。接続先の電話機は、受信した保留音を受話器から出力する。
【００２２】
図４は第２の保留音送出制御のフローチャートである。このフローは制御部１１が内線接続部１２を介してＩＰ電話機８の保留操作を検出したときにスタートする。制御部１１は、ＩＰ電話機８の保留操作を検出すると、保留コマンドを生成して、接続先の網を介して接続先の電話機へ送出する（ステップＳ１１）。次いで送出した保留コマンドに対する拒否応答が返送されてきたか否かを判定し（ステップＳ１２）、返送されてきた場合は、保留音源１７から保留音を出力させ、接続先の網を介して接続先の電話機へ送出する（ステップＳ１３）。
【００２３】
ここで、保留コマンドの送出先がＩＰ電話機５であった場合、保留コマンドに基づいて、ＩＰ電話機５の内蔵音源から保留音を出力するので、拒否応答は返送されない。ところが、保留コマンドの送出先がアナログ電話機６及びＩＳＤＮ対応電話機７のどちらかであった場合は、アナログ網２内の交換機、ＩＳＤＮ４内の交換機が保留コマンドを解釈することができないため、拒否応答を返送する。この結果、ＩＰ電話機８の接続先がアナログ電話機６及びＩＳＤＮ対応電話機７のどちらかの場合は、ゲートウェイ装置１から保留音が送出される。
【００２４】
このように、本発明の実施形態のゲートウェイ装置１によれば、ＩＰ電話機が保留されたとき、被保留電話機がＩＰ網に接続されているＩＰ電話機の場合は保留コマンドを送出し、アナログ電話網及びＩＳＤＮのどちらかに接続されている電話機の場合は保留音を送出するので、ＩＰ網以外のネットワーク配下の電話機に対しても保留音を送信可能であり、かつＩＰ網のトラフィックの増大の抑制が可能である。
【図面の簡単な説明】
【００２５】
【図１】本発明の実施形態のネットワーク接続装置であるゲートウェイ装置によりＩＰ電話機をＩＰ網、アナログ電話網、及びＩＳＤＮに接続可能にしたシステムの構成を示す図である。
【図２】本発明の実施形態のゲートウェイ装置の内部構成を示すブロック図である。
【図３】本発明の実施形態のゲートウェイ装置における第１の保留音送出制御のフローチャートである。
【図４】本発明の実施形態のゲートウェイ装置における第２の保留音送出制御のフローチャートである。
【符号の説明】
【００２６】
１・・・ゲートウェイ装置、２・・・ＩＰ網、３・・・アナログ電話網、４・・・ＩＳＤＮ、５，８，９・・・ＩＰ電話機、６・・・アナログ電話機、７・・・ＩＳＤＮ対応電話機、１１・・・制御部、１３・・・外線終端部、１７・・・保留音源。
【図１】
2008092182.tif 000003
【図２】
2008092182.tif 000004
【図３】
2008092182.tif 000005
【図４】
2008092182.tif 000006